(57)【要約】【課題】イオンを室内に行き渡らせてリラクゼーション効果や殺菌効果を充分得ることのできる空気調和機を提供する。【解決手段】第１送風手段７よって調和空気が室内に送出され、調和空気の一部は第２送風手段１５によって更に加速されて室内に送出される。第２送風手段１５によって加速された空気にはイオン発生装置３０から放出されたイオンが含まれ、イオン濃度の低い調和空気の空気流Ａ１とイオン濃度の高い調和空気の空気流Ａ２が異なる速度で並行して室内を流通する。この時、第２送風手段１５によって加速された空気流Ａ２は速度の異なる空気流Ａ１との境界Ｂが壁面となって容易に拡散されず、遠くまで到達できるとともに室内の空気とイオンとの接触が低減される。【選択図】      図３
2004293893.tif 000002
【特許請求の範囲】
【請求項１】
筐体内に取り込まれた空気を調和して送出する空気調和機において、調和空気を送出する第１送風手段と、調和空気が流通する送風経路と、前記送風経路にイオンを放出するイオン発生装置と、前記イオン発生装置近傍に配されるとともにイオンを含んだ一部の調和空気を更に加速する第２送風手段とを備えたことを特徴とする空気調和機。
【請求項２】
第２送風手段によって加速される空気の周囲を第２送風手段によって加速されない空気により覆うことを特徴とする請求項１に記載の空気調和機。
【請求項３】
前記イオン発生装置が臨んで配されるとともに第２送風手段によって加速される空気を覆うイオン通路を前記送風経路内に設けたことを特徴とする請求項１または請求項２に記載の空気調和機。
【請求項４】
第２送風手段によって加速される空気を除湿する除湿手段を設けたことを特徴とする請求項１〜請求項３のいずれかに記載の空気調和機。
【請求項５】
第２送風手段によって加速される空気を加熱する加熱手段を設けたことを特徴とする請求項１〜請求項４のいずれかに記載の空気調和機。
【請求項６】
筐体を床置きする床置型空気調和機であることを特徴とする請求項１〜請求項５のいずれかに記載の空気調和機。
【発明の詳細な説明】
【０００１】
【発明の属する技術分野】
本発明は、筐体内に取り込まれた空気を調和した調和空気を室内に送出する空気調和機に関し、特に室内にイオンを送出することのできる空気調和機に関する。
【０００２】
【従来の技術】
室内の空気を調和するとともにイオンを室内に送出できる空気調和機は特許文献１に開示されている。図７はこの空気調和機の室内機を示す側面断面図である。室内機２０は壁面に掛けられたキャビネット２の前面にキャビネット２を覆うフロントパネル３が着脱自在に取り付けられている。
【０００３】
フロントパネル３の上面部及び前面部には室内の空気を室内機２０に取り込む吸込口４が設けられている。フロントパネル３の下端部とキャビネット２の下端部との間隙には、室内機１の幅方向に延びる吹出口５が形成されている。吹出口５の近傍には、外部に臨んで上下方向の吹出角度を可変する横ルーバ１１が設けられている。横ルーバ１１の奥側には左右方向の吹出角度を可変する縦ルーバ１２が設けられている。
【０００４】
室内機１の内部には吸込口４から吹出口５に連通する送風経路６が形成され、送風経路６内には空気を送出する送風ファン７が配されている。送風ファン７として、例えばクロスフローファン等を用いることができる。送風経路６内のフロントパネル３に対向する位置には、熱交換器９が配置されている。
【０００５】
熱交換器９は圧縮機（不図示）に接続されており、圧縮機の駆動により冷凍サイクルが運転される。冷凍サイクルの運転によって、冷房時には熱交換器９が周囲温度よりも低温に冷却され、暖房時には熱交換器９が周囲温度よりも高温に加熱される。
【０００６】
吹出口５の近傍にはイオン発生装置３０が配されている。イオン発生装置３０は電極（不図示）の放電面３０ａが送風経路６に面して設置され、電極に電圧を印加すると放電面３０ａから送風経路６内にイオンを放出する。
【０００７】
上記構成の空気調和機において、例えば冷房運転を開始すると、圧縮機（不図示）から冷媒が熱交換器９へ流れて冷凍サイクルが運転される。また、送風ファン７が回転駆動され、イオン発生装置３０の電極に電圧を印加して放電面３０ａからイオンが放出される。
【０００８】
室内機１内には吸込口４から空気が吸い込まれ、熱交換器９と熱交換して冷却される。そして、送風経路６を通って縦ルーバ１２及び横ルーバ１１によって左右方向及び上下方向の向きが規制され、イオンを含んだ調和空気が吹出口５から室内に送出される。
【０００９】
これにより、室内が冷房されるとともに、マイナスイオンによるリラクゼーション効果やプラスイオン及びマイナスイオンによる殺菌効果等を得ることができるようになっている。
【００１０】
【特許文献１】
特開２００２−９５７３２号公報（第２頁−第７頁、第５図）
【００１１】
【発明が解決しようとする課題】
しかしながら、上記従来の空気調和機によると、イオンは空気中の水分や浮遊イオンと結合して室内に充分行き渡らずに消失してリラクゼーション効果や殺菌効果を充分得ることができない問題があった。特に梅雨時等の多湿時には容易にイオンが水分と化学反応して脱イオン化され、リラクゼーション効果や殺菌効果が著しく低下する問題があった。
【００１２】
本発明は、イオンを室内に充分行き渡らせることのできる空気調和機を提供することを目的とする。
【００１３】
【課題を解決するための手段】
上記目的を達成するために本発明は、筐体内に取り込まれた空気を調和して送出する空気調和機において、調和空気を送出する第１送風手段と、調和空気が流通する送風経路と、前記送風経路にイオンを放出するイオン発生装置と、前記イオン発生装置近傍に配されるとともにイオンを含んだ一部の調和空気を更に加速する第２送風手段とを備えたことを特徴としている。
【００１４】
この構成によると、第１送風手段によって調和空気が室内に送出され、調和空気の一部は第２送風手段によって更に加速して室内に送出される。第２送風手段によって加速された空気にはイオン発生装置から放出されたイオンが含まれ、イオン濃度の低い調和空気とイオン濃度の高い調和空気が異なる速度で並行して室内を流通する。この時、第２送風手段によって加速された空気流は速度の異なる空気流との境界が壁面となって容易に拡散されず、遠くまで到達できるとともに室内の空気とイオンとの接触が低減される。
【００１５】
また、第２送風手段によって加速される空気の周囲を第２送風手段によって加速されない空気により覆うと、室内の空気とイオンとの接触が更に低減される。
送風経路内に設けられたイオン発生装置が臨むイオン通路に空気を第２送風手段により加速される空気を覆うとイオンを含む空気が加速して室内に送出される。
【００１６】
また、第２送風手段により加速される空気を除湿する除湿手段を設けると、調和空気に含まれる水分とイオンの接触を低減できるとともに速度及び湿度の異なる空気流の境界が壁面となってイオンの拡散がより低減される。第２送風手段により加速される空気を加熱する加熱手段を設けると、速度及び温度の異なる空気流の境界が壁面となってイオンの拡散がより低減される。
【００１７】
【発明の実施の形態】
以下に本発明の実施形態を図面を参照して説明する。説明の便宜上、従来例の図７と同様の部分については同一の符号を付している。図１は第１実施形態の床置型の空気調和機を示す斜視図である。空気調和機１は床置して壁等に取り付けられ、キャビネット２の前面がフロントパネル３により着脱自在に覆われている。フロントパネル３の下部には室内の空気を取り込む吸込口４が設けられている。フロントパネル３の上部には調和空気を送出する吹出口５が設けられている。
【００１８】
図２は空気調和機１の側面断面図を示している。空気調和機１内には吸込口４から吹出口５に連通する送風経路６が形成され、送風経路６内の下部には空気を送出する送風ファン７（第１送風手段）が配されている。送風ファン７として例えばシロッコファンやクロスフローファン等を用いることができる。
【００１９】
送風経路６内には空気流が通過する熱交換器９が傾斜して配置されている。熱交換器９は圧縮機（不図示）に接続されており、圧縮機の駆動により冷凍サイクルが運転される。冷凍サイクルの運転によって冷房時には熱交換器９が周囲温度よりも低温に冷却され、暖房時には熱交換器９が周囲温度よりも高温に加熱される。熱交換器９の下部には冷房または除湿時に熱交換器９から落下した結露を補集するドレンパン１０が設けられている。
【００２０】
送風経路６の上部にはイオンを発生するイオン発生装置３０が設けられている。図３、図４は送風経路６の上部を示す側面断面図及び正面図である。イオン発生装置３０は送風経路６内に設けられたイオン通路１６に面して配され、イオン発生装置３０の電極（不図示）の放電面３０ａがイオン通路１６に臨んでいる。
イオン通路１６の後方にはイオン用送風ファン１５（第２送風手段）が配されている。
【００２１】
イオン発生装置３０の電極に電圧が印加されると、放電面３０ａから発生したイオンはイオン通路１６内に放出される。イオン発生装置３０はコロナ放電によって印加電圧が正電圧の場合は主としてＨ＋（Ｈ２Ｏ）ｎ（ｎは整数）から成るプラスイオンを生成し、負電圧の場合は主としてＯ２−（Ｈ２Ｏ）ｍ（ｍは整数）から成るマイナスイオンを生成する。
【００２２】
Ｏ２−（Ｈ２Ｏ）ｍを多く放出することによって滝や森林等のように人の気分をリフレッシュさせるリラクゼーション効果を得ることができる。また、Ｈ＋（Ｈ２Ｏ）ｎ及びＯ２−（Ｈ２Ｏ）ｍは微生物の表面で凝集して空気中の微生物等の浮遊菌を取り囲む。そして、衝突によって活性種である［・ＯＨ］（水酸基ラジカル）やＨ２Ｏ２（過酸化水素）を浮遊菌の表面上で生成し、浮遊菌を破壊して殺菌を行う。
【００２３】
従って、イオン発生装置３０は使用目的に応じて、プラスイオンに比べてマイナスイオンを多く発生させるモード、マイナスイオンに比べてプラスイオンを多く発生させるモード、及びプラスイオンとマイナスイオンの両方を略同量の割合で発生させるモードの切替えができるようになっている。
【００２４】
また、吹出口５には外部に臨んで垂直方向の吹出角度を変更可能な横ルーバ１１が設けられている。横ルーバ１１の奥側には左右方向の吹出角度を変更可能な縦ルーバ１２が設けられている。
【００２５】
上記構成の空気調和機１において、例えば冷房運転を開始すると、圧縮機からの冷媒が熱交換器９へ流れて冷凍サイクルが運転される。また、送風ファン７及びイオン用送風ファン１５が回転駆動され、イオン発生装置３０の電極に電圧を印加して放電面３０ａからイオンが放出される。
【００２６】
空気調和機１内には吸込口４から室内の空気が吸い込まれ、送風経路６を通って熱交換器９と熱交換して冷却される。そして、縦ルーバ１２及び横ルーバ１１によって左右方向及び上下方向の向きを規制して調和空気の空気流Ａ１が吹出口５から室内に送出される。これにより、冷却された空気が送風ファン７の送出により室内を流通して室内が冷却される。
【００２７】
送風経路６を流通する調和空気の一部はイオン用送風ファン１５によってイオン通路１６に導かれる。これにより、イオン発生装置３０の放電によってイオンを含む空気流Ａ２が吹出口５から室内に送出される。この時、イオンを含む空気は送風ファン７及びイオン用送風ファン１５の加速により風速が大きくなるため室内の遠くまで到達する。
【００２８】
また、吹出口５から速度の異なる空気流Ａ１、Ａ２が送出されるため、空気流Ａ１、Ａ２の境界Ｂが壁面となってコアンダ効果により境界Ｂに沿って各空気流Ａ１、Ａ２が流通して次第に拡散する。このため、イオンを含む空気流Ａ２の拡散が抑制される。
【００２９】
更に、イオンを含む空気流Ａ２がイオンを含まない空気流Ａ１に周囲を囲まれて流通するため、室内の空気とイオンとの接触を低減してイオンの消失を抑制することができる。これらによって、容易に消失するイオンを室内の遠くまで行き届かせることができ、マイナスイオンによるリラクゼーション効果やプラスイオン及びマイナスイオンによる殺菌効果等を充分得ることができる。
【００３０】
次に、図５は第２実施形態の空気調和機の上部を示す側面断面図である。説明の便宜上、前述の図１〜図４に示す第１実施形態と同一の部分には同一の符号を付している。本実施形態は第１実施形態の空気調和機に加え、イオン用送風ファン１５の後方に除湿器１７を設けている。その他の部分は第１実施形態と同一である。
【００３１】
除湿器１７はゼオライトやシリカゲル等の除湿剤を有しており、イオン通路１６を流通する空気に含まれた水分を除湿する。これにより、空気調和機１が空気清浄運転等を行って除湿が行われない場合であってもイオンを含む空気内の水分が除去される。
【００３２】
従って、第１実施形態と同様に、イオンを含む空気は送風ファン７及びイオン用送風ファン１５により風速が大きくなるため室内の遠くまで到達する。また、空気流Ａ１、Ａ２の速度が異なるとともに湿度が異なるため、空気流Ａ１、Ａ２の境界Ｂによるコアンダ効果が大きくなる。その結果、イオンを含む空気流Ａ２の拡散がより抑制される。
【００３３】
更に、除湿器１７により空気流Ａ２に含まれる水分が減少するため空気清浄運転等を行う場合であってもイオンと水分との接触を低減してイオンの消失が抑制される。これらによって、イオンを室内の遠くまで行き届かせることができる。
尚、イオン用送風ファン１５を停止しても除湿によってイオンの消失を低減してイオンを従来よりも遠くまで到達させることができる。
【００３４】
次に、図６は第３実施形態の空気調和機の上部を示す側面断面図である。説明の便宜上、前述の図１〜図４に示す第１実施形態と同一の部分には同一の符号を付している。本実施形態は第１実施形態の空気調和機に加え、イオン用送風ファン１５の前方にヒータ１８（加熱手段）を設けている。その他の部分は第１実施形態と同一である。
【００３５】
ヒータ１８はイオン通路１６を流通する空気を加熱する。これにより、空気調和機１が冷房運転や除湿運転を行う場合にイオンを含まれる空気が昇温される。従って、第１実施形態と同様に、イオンを含む空気は送風ファン７及びイオン用送風ファン１５により風速が大きくなるため室内の遠くまで到達する。
【００３６】
また、空気流Ａ１、Ａ２の速度が異なるため、空気流Ａ１、Ａ２の境界Ｂによるコアンダ効果によってイオンを含む空気流Ａ２の拡散が抑制される。加えて、イオンを含む空気流Ａ２がイオンを含まない空気流Ａ１に周囲を囲まれて流通するため、室内の空気とイオンとの接触を低減してイオンの消失を抑制することができる。
【００３７】
更に、吹出口５から温度の異なる空気流Ａ１、Ａ２が送出されるため、空気流Ａ１は比重が大きく下方に力を受け、空気流Ａ２は比重が小さく上方に力を受ける。これにより、空気流Ａ１、Ａ２は互いに沿って流通して境界Ｂによるコアンダ効果が大きくなる。従って、イオンを含む空気流Ａ２の拡散がより抑制される。従って、イオンを室内のより遠くまで行き届かせることができる。尚、本実施形態の構成に第２実施形態の除湿器１７（図５参照）を設けてもよい。
【００３８】
第１〜第３実施形態において、壁等に取付けて床置きされる床置型の空気調和機について説明したが、前述の図７に示すような壁面に掛けて取り付ける壁掛け型の空気調和機でもよい。
【００３９】
【発明の効果】
本発明によると、調和空気を送出する第１送風手段と、イオンを含んだ一部の調和空気を更に加速する第２送風手段とを備えるので、イオンを含む空気は風速が大きくなるため室内の遠くまで到達する。また、速度の異なる空気流が送出されるため、空気流の境界が壁面となってコアンダ効果により境界に沿って各空気流が流通して次第に拡散する。このため、イオンを含む空気流の拡散が抑制される。従って、容易に消失するイオンを室内の遠くまで行き届かせることができる。
【００４０】
また本発明によると、第２送風手段によって加速される空気の周囲を第２送風手段によって加速されない空気により覆うので、室内の空気とイオンとの接触が低減され、イオンの消失を抑制することができる。従って、イオンを室内のより遠くまで行き届かせることができる。
【００４１】
また本発明によると、第２送風手段による気流を覆うとともにイオン発生装置が臨むイオン通路を送風経路内に設けたので、イオンを含む空気を確実に第２送風手段により加速させることができる。
【００４２】
また本発明によると、第２送風手段により加速される空気を除湿する除湿手段を設けたので、空気清浄運転時等にイオンを含む空気中の水分を減少させることができる。従って、イオンと水分との接触を低減してイオンの消失が更に抑制される。
【００４３】
また本発明によると、第２送風手段により加速される空気を加熱する加熱手段を設けたので、温度の異なる空気流の比重の差によって空気流の境界によるコアンダ効果が大きくなる。従って、イオンを含む空気流の拡散がより抑制される。
【図面の簡単な説明】
【図１】は、本発明の第１実施形態の空気調和機を示す斜視図である。
【図２】は、本発明の第１実施形態の空気調和機を示す側面断面図である。
【図３】は、本発明の第１実施形態の空気調和機の上部を示す側面断面図である。
【図４】は、本発明の第１実施形態の空気調和機の上部を示す正面図である。
【図５】は、本発明の第２実施形態の空気調和機の上部を示す側面断面図である。
【図６】は、本発明の第３実施形態の空気調和機の上部を示す側面断面図である。
【図７】は、従来の空気調和機を示す側面断面図である。
【符号の説明】
１    空気調和機
２    キャビネット
３    フロントパネル
４    吸込口
５    吹出口
６    送風経路
７    送風ファン
９    熱交換器
１０    ドレンパン
１１    横ルーバ
１２    縦ルーバ
１５    イオン用送風ファン
１６    イオン通路
１７    除湿器
１８    ヒータ
２０    室内機
【図１】
2004293893.tif 000003
【図２】
2004293893.tif 000004
【図３】
2004293893.tif 000005
【図４】
2004293893.tif 000006
【図５】
2004293893.tif 000007
【図６】
2004293893.tif 000008
【図７】
2004293893.tif 000009